(57)【要約】【課題】複式風車を利用して全四季に亘って発電効率を向上させる。【解決手段】冷却ファン１の上方で垂直軸型風車５を回転軸１１が垂直方向で配置し、水平軸型風車６を回転軸１１が垂直方向で配置し、水冷冷却塔２の運転時には水冷冷却塔２からの上方向きの排気風７を受け、水冷冷却塔の停止時には自然風８を受けて垂直軸型風車５と水平軸型風車６の協働により駆動される発電機９を備えている。【選択図】図１
0003160824.tif 000002
【実用新案登録請求の範囲】
【請求項１】
散布される水滴の滴下速度を遅らせ、熱を発散させる冷却ファンを有する水冷冷却塔をビルの屋上に設置するための基礎を利用して風車フレームを装架し、
前記風車フレームに、前記冷却ファンの上方で垂直軸型風車を回転軸が垂直方向で配置し、水平軸型風車を回転軸が垂直方向で配置し、
前記水冷冷却塔の運転時には前記水冷冷却塔からの上方向きの排気風、自然風を受け、前記水冷冷却塔の停止時には自然風を受けて前記垂直軸型風車と前記水平軸型風車の協働により駆動される発電機を備えることを特徴とする複式風車ハイブリッド冷却塔発電システム。
【請求項２】
前記垂直軸型風車は、回転軸の周囲に同心円で設けられた複数個の羽根で構成され、中心回転軸は前記排気風と同じ向きに設置され、前記自然風の風向きに左右されず何れの方向の前記自然風に対しても回転できるように前記中心回転軸を垂直方向に配置されることを特徴とする請求項１記載の複式風車ハイブリッド冷却塔発電システム。
【請求項３】
前記垂直軸型風車の回転軸と前記水平軸型風車の回転軸は同心であることを特徴とする請求項１記載の複式風車ハイブリッド冷却塔発電システム。
【請求項４】
前記垂直軸型風車の回転軸と前記水平軸型風車の回転軸は前記冷却ファンの回転軸と同心であることを特徴とする請求項１記載の複式風車ハイブリッド冷却塔発電システム。
【請求項５】
前記垂直軸型風車は前記水平軸型風車に外設され、両者の中心回転軸は同心であることを特徴とする請求項１記載の複式風車ハイブリッド冷却塔発電システム。
【請求項６】
前記垂直軸型風車の回転軸と前記水平軸型風車の回転軸は結合されていることを特徴とする請求項１記載の複式風車ハイブリッド冷却塔発電システム。
【請求項７】
散布される水滴の滴下速度を遅らせ、熱を発散させる冷却ファンを有する水冷冷却塔をビルの屋上に設置するための基礎を利用して風車フレームを装架し、
前記風車フレームに、前記冷却ファンの上方で垂直軸型風車を回転軸が垂直方向で配置し、
前記垂直軸型風車を前記回転軸に連結する腕を回転軸が垂直方向で配置する水平軸型風車に形成し、
前記水冷冷却塔の運転時には前記水冷冷却塔からの上方向きの排気風、自然風を受け、前記水冷冷却塔の停止時には自然風を受けて前記垂直軸型風車と前記水平軸型風車の協働により駆動される発電機を備えることを特徴とする複式風車ハイブリッド冷却塔発電システム。
【請求項８】
前記垂直軸型風車は、回転軸の周囲に同心円で設けられた複数個の羽根で構成され、中心回転軸は前記排気風と同じ向きに設置され、前記自然風の風向きに左右されず何れの方向の前記自然風に対しても回転できるように前記中心回転軸を垂直方向に配置されることを特徴とする請求項７記載の複式風車ハイブリッド冷却塔発電システム。
【考案の詳細な説明】
【技術分野】
【０００１】
本考案は、複式風車ハイブリッド冷却塔発電システムに係わり、特に屋外に設置された水冷冷却塔の運転時には水冷冷却塔からの排気風を受けて水平軸型風車を回転させ、水冷冷却塔の停止時には自然風を受けて垂直軸型風車を回転させてそれぞれ発電機を駆動する複式風車ハイブリッド冷却塔発電システムに関する。
【背景技術】
【０００２】
従来から、冷却塔の風は散布される水滴の滴下速度を遅らせ、熱を発散させる役目のみで、その吐き出し後の排気風に意味を持たせていない。これは無駄に風を捨てていることになる。
【０００３】
そこで冷却塔の吐き出し後の無駄に捨てている排気風を利用して水平軸型風車の１つであるプロペラ型の発電ロータを駆動し、又は上向きの排気風を横向きに偏向する偏向フードにより偏向された排気風を受けるように垂直方向に配置した垂直軸型風車を駆動して、発電する風力発電装置が提案されている（特許文献１〜６参照）。
【先行技術文献】
【特許文献】
【０００４】
【特許文献１】実願昭５６−１３４５９７号（実開昭５８−４０５７０号）のマイクロフィルム
【特許文献２】特開平１１−１３４２１号公報
【特許文献３】特開２００２−２４２８１８号公報
【特許文献４】特開２００３−３１４０７４号公報
【特許文献５】特開２００５−２９９４７９号公報
【特許文献６】特開２００７−１００５８３号公報
【考案の概要】
【考案が解決しようとする課題】
【０００５】
しかしながら、この風力発電装置は冷却塔の運転時又は動力等の運転時及び水冷冷却塔の停止時には自然風を受けて垂直軸型風車を回転させてそれぞれ発電機を駆動するので、フルに発電が可能であり、常時発電が行なわれることから全四季に亘って発電機能を発揮する。しかしながら、この場合、発電は冷却塔の運転時又は動力等の運転時及び水冷冷却塔の停止時には自然風を受けて垂直軸型風車を回転させて発電機を駆動することのみに依拠するため発電効率が劣るという難点がある。
【０００６】
本考案は、このような難点を解消するためになされたもので、屋外に設置された水冷冷却塔の運転時には水冷冷却塔からの排気風を受けて水平軸型風車を回転させ、水冷冷却塔の停止時には自然風を受けて垂直軸型風車を回転させてそれぞれ発電機を駆動することによりフルに発電が可能であって、常時発電が達成でき全四季に亘って発電効率を向上させる複式風車ハイブリッド冷却塔発電システムを提供すること目的とする。
【課題を解決するための手段】
【０００７】
この目的を達成するため、本考案の複式風車ハイブリッド冷却塔発電システムは、散布される水滴の滴下速度を遅らせ、熱を発散させる冷却ファンを有する水冷冷却塔をビルの屋上に設置するための基礎を利用して風車フレームを装架し、風車フレームに、冷却ファンの上方で垂直軸型風車を回転軸が垂直方向で配置し、水平軸型風車を回転軸が垂直方向で配置し、水冷冷却塔の運転時には水冷冷却塔からの上方向きの排気風を受け、水冷冷却塔の停止時には自然風を受けて垂直軸型風車と水平軸型風車の協働により駆動される発電機を備えている。
【０００８】
本考案の複式風車ハイブリッド冷却塔発電システムにおいて、垂直軸型風車は、回転軸の周囲に同心円で設けられた複数個の羽根で構成され、中心回転軸は排気風と同じ向きに設置され、自然風の風向きに左右されず何れの方向の自然風に対しても回転できるように中心回転軸を垂直方向に配置される。
【０００９】
本考案の複式風車ハイブリッド冷却塔発電システムにおいて、垂直軸型風車の回転軸と水平軸型風車の回転軸は同心である。
【００１０】
本考案の複式風車ハイブリッド冷却塔発電システムにおいて、垂直軸型風車の回転軸と水平軸型風車の回転軸は冷却ファンの回転軸と同心である。
【００１１】
本考案の複式風車ハイブリッド冷却塔発電システムにおいて、垂直軸型風車は水平軸型風車に外設され、両者の中心回転軸は同心である。
【００１２】
本考案の複式風車ハイブリッド冷却塔発電システムにおいて、垂直軸型風車の回転軸と水平軸型風車の回転軸は結合されている。
【００１３】
本考案の複式風車ハイブリッド冷却塔発電システムは、散布される水滴の滴下速度を遅らせ、熱を発散させる冷却ファンを有する水冷冷却塔をビルの屋上に設置するための基礎を利用して風車フレームを装架し、風車フレームに、冷却ファンの上方で垂直軸型風車を回転軸が垂直方向で配置し、垂直軸型風車を回転軸に連結する腕を回転軸が垂直方向で配置する水平軸型風車に形成し、水冷冷却塔の運転時には水冷冷却塔からの上方向きの排気風を受け、水冷冷却塔の停止時には自然風を受けて垂直軸型風車と水平軸型風車の協働により駆動される発電機を備えている。
【００１４】
本考案の複式風車ハイブリッド冷却塔発電システムにおいて、垂直軸型風車は、回転軸の周囲に同心円で設けられた複数個の羽根で構成され、中心回転軸は排気風と同じ向きに設置され、自然風の風向きに左右されず何れの方向の自然風に対しても回転できるように中心回転軸を垂直方向に配置される。
【考案の効果】
【００１５】
このような複式風車ハイブリッド冷却塔発電システムによれば、水冷冷却塔の運転時には水冷冷却塔からの排気風を受けて水平軸型風車を回転させ、水冷冷却塔の停止時には自然風を受けて垂直軸型風車を回転させてそれぞれ発電機を駆動することによりフルに発電が可能であって、常時発電が達成でき全四季に亘って発電効率を向上させることができる。
【図面の簡単な説明】
【００１６】
【図１】本考案による複式風車ハイブリッド冷却塔発電システムの一形態例を示す側面説明図。
【図２】図１に示す複式風車ハイブリッド冷却塔発電システムの平面説明図。
【図３】図１に示す複式風車ハイブリッド冷却塔発電システムにおける複式風車の平面説明図。
【図４】本考案による複式風車ハイブリッド冷却塔発電システムの他の形態例を示す側面説明図。
【図５】図４に示す複式風車ハイブリッド冷却塔発電システムの平面説明図。
【図６】本考案による複式風車ハイブリッド冷却塔発電システムの他の形態例を示す斜視図。
【図７】本考案による複式風車ハイブリッド冷却塔発電システムの他の形態例を示す側面説明図。
【図８】図７に示す複式風車ハイブリッド冷却塔発電システムの平面説明図。
【考案を実施するための形態】
【００１７】
以下、本考案の複式風車ハイブリッド冷却塔発電システムを好ましい実施の形態例について図面に基づいて説明する。
〈実施例１〉
図１、図４、図６、図７に示すように、複式風車ハイブリッド冷却塔発電システムは、散布される水滴の滴下速度を遅らせ、熱を発散させる冷却ファン１を有する水冷冷却塔２をビルの屋上に設置するための基礎３を利用して風車フレーム４が装架されている。風車フレーム４は、縦フレーム４ａ、中間横フレーム４ｂ、頂上横フレーム４ｃを含む。
【００１８】
風車フレーム４に、冷却ファン１の上方で垂直軸型風車５を回転軸１１が垂直方向で配置し、水平軸型風車６を回転軸１１が垂直方向で配置し、水冷冷却塔２の運転時には水冷冷却塔２からの上方向きの排気風７を受け、水冷冷却塔の停止時には自然風８を受けて垂直軸型風車５と水平軸型風車６の協働により駆動される発電機９を備えている（図１〜図３）。
【００１９】
本考案の複式風車ハイブリッド冷却塔発電システムにおいて、垂直軸型風車５は、回転軸１１の周囲に同心円で設けられた複数個の羽根１０で構成され、中心回転軸１１は排気風と同じ向きに設置され、自然風の風向きに左右されず何れの方向の自然風に対しても回転できるように中心回転軸１１を垂直方向に配置される（図２〜図３）。
【００２０】
本考案の複式風車ハイブリッド冷却塔発電システムにおいて、垂直軸型風車５の回転軸１１と水平軸型風車６の回転軸１１は同心である。
【００２１】
本考案の複式風車ハイブリッド冷却塔発電システムにおいて、垂直軸型風車５の回転軸１１と水平軸型風車６の回転軸１１は冷却ファン１の回転軸１２と同心である。
【００２２】
本考案の複式風車ハイブリッド冷却塔発電システムにおいて、垂直軸型風車５は水平軸型風車に外設され、両者の中心回転軸１１は同心である。
【００２３】
本考案の複式風車ハイブリッド冷却塔発電システムにおいて、垂直軸型風車５の回転軸１１と水平軸型風車６の回転軸１１は結合されている。
【００２４】
このような複式風車ハイブリッド冷却塔発電システムにおいて、使用される垂直軸型風車５とは、羽根の中心回転軸１１が垂直であり、風方向と直交とされるものであって、クロスフロー型、ダリウス型、ジャイロミル型、サボニウス型、Ｓ型ローター型、パドル型等で機構構成される（「トコトンやさしい風力発電の本」、第４章「風車の種類と使われ方」、２０１０年１月２０日初版１刷発行、日刊工業新聞社）。
【００２５】
垂直軸型風車５は、水平軸型風車に対比して、風向きに左右されず何れの方向の風も利用でき、したがって風向制御装置が不要であり、風切り音が少なく騒音の問題が低減されるので都心のビル街、マンション、アパート住宅区域においても設置可能であるという利点がある。
【００２６】
本願考案の複式風車ハイブリッド冷却塔発電システムにおいて、垂直軸型風車５としてはジャイロミル型を採用することが好ましい。
【００２７】
水平軸型風車６とは、羽根（ブレード）の中心回転軸が水平に配置されて風方向と並行とされるもので、プロペラ型、多翼型、セイルウイング型、かざぐるま型、リボン型、オランダ型等で構成される（「トコトンやさしい風力発電の本」、第４章「風車の種類と使われ方」、２０１０年１月２０日初版１刷発行、日刊工業新聞社）。
【００２８】
水平軸型風車６は、風の抗力を利用するので比較的大きなトルクが得られるという利点がある一方、風向きに左右され、したがって風向制御装置が必要であるが、本願考案の複式風車ハイブリッド冷却塔発電システムにおいては水冷冷却塔からの上方向きの排気風を受けるので風向が一定であり、風向制御装置は不要である。
【００２９】
本願考案の複式風車ハイブリッド冷却塔発電システムにおいて、水平軸型風車６としてはプロペラ型を採用することが好ましい。
【００３０】
以上の形態例において、中心回転軸１１は発電機９の駆動軸に直結されているが、中心回転軸１１はベルト、ギアリングなどの伝達機構を介して発電機９の駆動軸に連結でき、かつ伝達機構の伝達比を変えることにより発電機９の駆動軸の回転速度を変速することも可能である。
【００３１】
また、垂直軸型風車５はビル等の最上部となり鳥を守るためと飛来物から保護するため防護ネットを設置することが好ましい。
【００３２】
また、メンテナンス、危険防止用に垂直軸型風車５の回転を止めるストッパー(ブレーキ)を設置することが好ましい。即ち、冷却塔及び風力発電用羽根の修理・メンテナンスの際はブレーキを設置して回転物（羽根）を止める安全面での構造が必要である。風車自体が強風のため破損防止にブレーキをかける構造としても、その時には羽根が停止しているだけであるので冷却塔２の運転状態に影響を与える事は無い。
〈実施例２〉
図４〜図７に示すように、本考案の複式風車ハイブリッド冷却塔発電システムは、散布される水滴の滴下速度を遅らせ、熱を発散させる冷却ファン１を有する水冷冷却塔２をビルの屋上に設置するための基礎３を利用して風車フレーム４が装架されている。
【００３３】
風車フレーム４に、冷却ファン１の上方で垂直軸型風車５を回転軸１１が垂直方向で配置し、垂直軸型風車５を回転軸１１に連結する腕１２を回転軸１１が垂直方向で配置する水平軸型風車６ａに形成し、水冷冷却塔２の運転時には水冷冷却塔２からの上方向きの排気風７を受け、水冷冷却塔２の停止時には自然風８を受けて垂直軸型風車５と水平軸型風車６ａの協働により駆動される発電機９を備えている。
【００３４】
本考案の複式風車ハイブリッド冷却塔発電システムにおいて、垂直軸型風車５は、回転軸１１の周囲に同心円で設けられた複数個の羽根１０で構成され、中心回転軸１１は排気風と同じ向きに設置され、自然風の風向きに左右されず何れの方向の自然風に対しても回転できるように中心回転軸１１を垂直方向に配置される。
【００３５】
この実施例によれば、垂直軸型風車と水平軸型風車の構築が簡便になり、冷却塔への設置も容易になる。
【００３６】
なお、以上の複式風車ハイブリッド冷却塔発電システムにおいて、冷却塔としては、角型冷却塔（図１、図４、図６）のみならず丸型冷却塔（図７）にも設置対応が可能である。
【００３７】
また、以上の複式風車ハイブリッド冷却塔発電システムにおいて、冷却塔としては、単体の冷却塔として示しているが、冷却塔の冷却ファン１が並んで設置されているものはその排風ファンの数だけ発電機を設置できるので相当量の発電電力量が得られる。
【００３８】
以上の複式風車ハイブリッド冷却塔発電システムにおいて、風車フレーム４の縦フレーム４ａは冷却塔２の４隅（基礎３の位置の４方向）としたが、丸型冷却塔では３方向の設置でも可能であり、各方向からの柱とし分散することにより冷却塔自身の基礎をそのまま利用できるため新たに強固な基礎を作る必要がない。
【００３９】
本考案の複式風車ハイブリッド冷却塔発電システムにおいて、基礎３の基礎工事においても、建築物の躯体に影響をすることもなく設置が可能である。
【００４０】
本考案の複式風車ハイブリッド冷却塔発電システムにおいて、新規設置の場合、冷却塔２自身の脚部を風車の荷重に耐えるものを設置するだけで現状と同じ配置で設置が可能である。
【００４１】
本考案の複式風車ハイブリッド冷却塔発電システムにおいて、通常風力発電の修理及びメンテナンスはその都度高所作業のため足場を設置して相当高さ上で作業をするが、本機は冷却塔２の上部にあるため、冷却塔２を利用することができるので足場を設置しないで修理及びメンテナンスが可能であることで足場設置の経費及び時間等が節約できる。
【００４２】
本考案の複式風車ハイブリッド冷却塔発電システムにおいては、このような構造のため改めて高所作業とする必要が無いため日常の点検の一つとして気軽に点検をすることができる。
【００４３】
本考案の複式風車ハイブリッド冷却塔発電システムは都心の屋上に設置することで複式風車ハイブリッド冷却塔発電システムを最大限利用することができる。
【００４４】
本考案の複式風車ハイブリッド冷却塔発電システムにおいて、風力発電は通常風が強く吹く場所を選んで設置しなければならないが都心のビルの屋上は常に高所である自然風の強い場所と言うメリットを活用できるのがこの発電システムの利点である。
【００４５】
冷却塔は規模の大きなものになると数台から十数台での並列設置であるがこの複式風車ハイブリッド冷却塔発電システムもその台数及び排風口の数の分を設置することができる。
【００４６】
このような本考案の複式風車ハイブリッド冷却塔発電システムにおいて、その動作について説明すると、冷却塔運転使用時の冷却塔ファン排風７を水平軸型風車６、６ａが受けて回転し発電する。
【００４７】
冷却塔がサーモ停止のときでも自然風８があれば垂直軸型風車５が全方位からの横風を受けて回転し発電する。
【００４８】
冷房時以外の冷却塔の停止時も全位方向からの横風自然風８を垂直軸型風車５が全方位からの横風を受けて回転し発電する。
【００４９】
暖房時で冷却塔２が全く停止している状態でも自然風８により発電が可能である。
【００５０】
夏は気温上昇して冷房最盛期の無風時に冷却ファン１の運転が連続するため排風７も連続して発生するため水平軸型風車６、６ａの回転時間が長くなり発電容量と発電時間が最大となる。冷房時の無風時の発電も可能なうえ暖房時の冷却塔２が停止時も自然風８により発電が見込めるため年間で最大量の発電が見込める。
【００５１】
通常無風時では発電しない風力発電の欠点を本考案の複式風車ハイブリッド冷却塔発電システムは無風時にも捨てている風を受けて発電ができる。
【００５２】
都心のど真ん中での風力発電設備の設置はスペースの関係上非常に無理な面が多いが都心ならではのビルの屋上で設置となると設置する場所は非常に多くなる。
【００５３】
風力発電は平地では風が少ないため極力柱を立てて回転翼１０を上方に設置する必要があるが、ビルの屋上のため回転翼１０が受ける風は高い柱を立てる以上に効果がある。
【００５４】
水平軸型風車６、６ａが回転することで水平軸型風車６、６ａ上方方向の気流が発生し、冷却ファン１上の風の方向に遮蔽物となり、垂直軸型風車５の羽１０が水平軸型風車６、６ａ上方の上昇気流により遮蔽物ではなく排気筒としての役目を担い排気のショートサーキットを防ぐ事により効率が上がり更に相乗効果が行われる。
【００５５】
この効果と垂直軸型風車５の羽１０がさらに冷却ファン１上の気流分散を抑えて気流をまとめる役目をするため風車の回転を促進することができる。
【００５６】
何らかの理由（故障等）で風車が回らないときに冷却塔２の排風７が垂直軸型風車５の羽１０に当たっても抵抗になる程度ではないため冷却塔２の能力等に与える影響は無い。
【００５７】
また、自然風８が発電するのに必要な風量のときはその効果は更に高められる。これは、夏場自然風が大きなときは垂直軸型風車５による風力発電がその効果を発揮するがその時水平軸型風車６、６ａによる風力発電が起こす上昇気流が冷却塔２の排風を助ける役目を果たし冷却塔２の効率を上げることができる。これによって冷却塔２自体の電力消費が抑えられるメリットがある。
【００５８】
なお、自然風の強いときは発電機と風車の接続部を切り離し冷却塔のファンシャフトに直接接続して冷却塔側のファンを直接回転させることにより発電ロスを無くすことができる。発電する回転数２００ｒｐｍと冷却塔の能力を１００％発揮するときの回転数４００ｒｐｍは異なるため風力で回転させるときの負荷は低負荷時に限る。
【００５９】
以下、本考案の複式風車ハイブリッド冷却塔発電システムにおいて、垂直軸型風車５と水平軸型風車６、６ａの動作を夏季と冬季について説明する。
【００６０】
夏季＝水冷冷却塔が稼動の場合：
自然風が無風のとき→水平軸型風車６、６ａが回転され発電される。この場合、垂直軸型風車５は負荷として従動回転されるが、水冷冷却塔からの排気風７は真直ぐ上方に通り抜けるので、反トルクは生じることはなく、排気筒としての役目を担うことになる。
【００６１】
自然風があるとき→垂直軸型風車５と水平軸型風車６、６ａが回転され発電される。
【００６２】
冬季＝水冷冷却塔が停止の場合：
自然風が無風のとき→垂直軸型風車５と水平軸型風車６、６ａは回転されず発電されない。
【００６３】
自然風があるとき→垂直軸型風車５が回転され発電される。この場合、水平軸型風車６、６ａは負荷として従動回転されるが、水平軸型風車６、６ａの回転モーメントは小さいので垂直軸型風車５の回転が阻害されることはない。
【００６４】
以上の説明からも明らかなように、本考案の複式風車ハイブリッド冷却塔発電システムによれば、水冷冷却塔の運転時には水冷冷却塔からの排気風を受けて水平軸型風車を回転させ、水冷冷却塔の停止時には自然風を受けて垂直軸型風車を回転させて発電機を駆動することによりフルに発電が可能であり、常時発電が達成できる。即ち、本考案の複式風車ハイブリッド冷却塔発電システムの最大のメリットは都心や繁華街等のビルの屋上に設置されている冷却塔を利用する自然エネルギ一風力発電システムであり、真夏は冷却塔の運転で、ほぼフルに発電が可能であり常時発電が望めるし、冷却塔ファン停止時でも自然風を受けて発電が可能であることである。
【００６５】
さらに、本考案の複式風車ハイブリッド冷却塔発電システムによれば、垂直軸型風車、発電機は屋上に設置可能であることにより一般の人が近寄ることも少なく安全である。
【００６６】
また、本考案の複式風車ハイブリッド冷却塔発電システムによれば、垂直軸型風車、発電機は基礎も要らず冷却塔等に抱き合わせて設置が可能であるので、工事費が安価である。
【００６７】
また、本考案の複式風車ハイブリッド冷却塔発電システムによれば、垂直軸型風車、発電機は屋上設置により自然風を受けやすいため発電効率が良い。
【００６８】
さらに、本考案の複式風車ハイブリッド冷却塔発電システムによれば、垂直軸型風車、発電機は都心のビルの屋上等に設置が可能であり設置領域が格段に広がる。
【００６９】
また、本考案の複式風車ハイブリッド冷却塔発電システムによれば、垂直軸型風車は既設の水冷冷却塔に設置が可能であり、改めて水冷冷却塔の構造を変える必要がない。
【００７０】
また、本考案の複式風車ハイブリッド冷却塔発電システムによれば、垂直軸型風車は大きな羽根を使用することもなくシステム自体も安価になる。
【００７１】
また、本考案の複式風車ハイブリッド冷却塔発電システムによれば、水冷冷却塔運転時の風を利用した上、冷却塔の停止時(冬季)でも自然の風を利用可能で風力発電としては１年中効率が高い発電が望める。
【００７２】
さらに、本考案の複式風車ハイブリッド冷却塔発電システムによれば、災害時に、ビルの屋上に避難ということもありうるが、複式風車ハイブリッド冷却塔発電システムは、そのようなときにも有効に発電されるので、電力源として利用され実力を発揮する。
【００７３】
なお、通常ビルの受電設備及び緊急時の自家発電設備はかなりの割合で地下に設備している。都心のビルに襲いかかる災害の大きなものとしては地震による津波災害と台風等による水害があげられる。大きな津波及び水害が発生したときには電気関係に大きな影響が出て復旧に手間取ることになる。地下に浸水して電気が使用不能になった場合、地震水害等の規模によっては復旧に相当の日数（数か月単位）が必要となる可能性がある。電力会社からの送電復旧と受電設備の復旧を考えるとどちらが欠けていても電気は使えない。
【００７４】
このような時に必要となる最低の電気を本考案の複式風車ハイブリッド冷却塔発電システムで給電できることは非常に大きなメリットとなる。常時使用については電気自動車の充電、建物内の照明等に使うことができるが、いざという時には自然風で発電した電気によりパソコン・携帯電話の充電、非常時の照明設備の電源供給を行なうこと等があげられる。
【符号の説明】
【００７５】
１・・・冷却ファン
２・・・水冷冷却塔
３・・・基礎
４・・・風車フレーム
５・・・垂直軸型風車
６、６ａ・・・水平軸型風車
７・・・排気風
８・・・自然風
９・・・発電機
１０・・・羽根
１１・・・回転軸
１２・・・腕
【図１】
0003160824.tif 000003
【図２】
0003160824.tif 000004
【図３】
0003160824.tif 000005
【図４】
0003160824.tif 000006
【図５】
0003160824.tif 000007
【図６】
0003160824.tif 000008
【図７】
0003160824.tif 000009
【図８】
0003160824.tif 000010